(57)【要約】【課題】片口金ランプと片口金ランプ用ソケットとの隙間をより確実に密封できる片口金用ソケットを提供すること【解決手段】口金部から突出する端子を備えた片口金ランプの前記口金部が着脱自在に装着されるソケット本体と；前記片口金ランプの前記口金部と前記ソケット本体との間に介在され、前記端子を挿通させる第１の挿通孔が形成されたシート部とこのシート部からその厚さ方向に突出して前記端子の周辺を包囲する突起部とを備えたパッキンと；を具備する。【選択図】図４
2008204760.tif 000002
【特許請求の範囲】
【請求項１】
口金部から突出する端子を備えた片口金ランプの前記口金部が着脱自在に装着されるソケット本体と；
前記片口金ランプの前記口金部と前記ソケット本体との間に介在され、前記端子を挿通させる第１の挿通孔が形成されたシート部とこのシート部からその厚さ方向に突出して前記端子の周辺を包囲する突起部とを備えたパッキンと；
を具備することを特徴とする片口金用ソケット。
【請求項２】
前記ソケット本体は、
前記口金部を通じて装着された前記片口金ランプの前記端子と接触可能なコンタクトと；
前記パッキンの前記第１の挿通孔と共に前記端子を挿通させて前記コンタクトと前記端子の先端部とを接触させる第２の挿通孔が形成され且つ前記パッキンの外形部分の少なくとも一部と嵌合する第１の凹部と；
をさらに具備することを特徴とする請求項１記載の片口金用ソケット。
【請求項３】
前記パッキンは、所定の係止部材を挿通させつつ前記ソケット本体に当該パッキンを固定するための第１の係止孔が形成された被固定部を有し、
さらに、前記ソケット本体は、前記第１の凹部と高さが異なり且つ前記パッキンの前記被固定部と嵌合する第２の凹部と、前記パッキンの前記第１の係止孔と共に前記係止部材を挿通させて前記パッキンを固定するための第２の係止孔とを備える
ことを特徴とする請求項１または２に記載の片口金用ソケット。
【請求項４】
前記パッキンが備える前記突起部は、
前記シート部の一方の面から突出して、前記ソケット本体に装着された前記片口金ランプの前記口金部の端面と先端部が当接する口金部側の第１の突起部と；
前記シート部の他方の面から突出して、前記ソケット本体における前記シート部の前記他方の面との対向面に先端部が当接するソケット本体側の第２の突起部と；
を具備することを特徴とする請求項１ないし３のいずれか１項に記載の片口金用ソケット。
【請求項５】
前記パッキンは、前記第１の突起部の外縁側に一端側がつながる傾斜部を有する端子挿入案内部；
をさらに具備することを特徴とする請求項１ないし４のいずれか１項に記載の片口金用ソケット。
【請求項６】
前記パッキンは、前記端子挿入案内部の他端側に設けられた突出支持部を有し、
さらに、前記ソケット本体は、前記突出支持部と係合する係合部を備える
ことを特徴とする請求項５記載の片口金用ソケット。
【請求項７】
前記突出支持部と前記係合部とは接着されることを特徴とする請求項６記載の片口金用ソケット。
【請求項８】
前記第１の突起部の先端の高さよりも低い位置で前記端子挿入案内部が前記突起部とつながっていることを特徴とする請求項５ないし７のいずれか１項に記載の片口金用ソケット。
【請求項９】
前記突起部は、内周側に少なくとも一部を屈曲させた屈曲部を有することを特徴とする請求項１ないし８のいずれか１項に記載の片口金用ソケット。
【請求項１０】
前記突起部は、
前記口金部から各々突出する複数の前記端子をまとめて包囲する周回突起部と；
前記周回突起部と協働して前記複数の端子のうちの少なくとも異極の端子の組同士を個別に包囲する異極遮蔽突起部と；
を有することを特徴とする請求項１ないし９のいずれか１項に記載の片口金用ソケット。
【請求項１１】
前記ソケット本体は、
前記コンタクトを室内に収容するための開口部を有するコンタクト収容室と；
前記コンタクトの収容された前記コンタクト収容室の前記開口部を塞ぐ蓋体と；
を備え
さらに、前記コンタクト収容室の前記開口部の周縁と前記蓋体との間に介在され、シート部とこのシート部の両面から前記開口部の周縁側および前記蓋体側に各々に突出する第３、第４の突起部とを備えたコンタクト側防水パッキンと；
を具備することを特徴とする請求項１ないし１０のいずれか１項に記載の片口金用ソケット。
【請求項１２】
前記ソケット本体または前記パッキンが難燃性材料で構成されていることを特徴とする請求項１ないし１１のいずれか１項に記載の片口金用ソケット。
【発明の詳細な説明】
【技術分野】
【０００１】
本発明は、片口金ランプが接続される片口金用ソケットに関する。
【背景技術】
【０００２】
従来から、Ｕ字状のバルブの一端部にのみ４本の口金ピンが突出するランプ口金部が設けられた片口金ランプとこの片口金ランプが着脱自在に装着される片口金ランプ用ソケットが知られている。
【０００３】
このような片口金ランプ用ソケットの片口金ランプが装着される面には防水シールが介在されている。防水シールを介在させることにより装着面に装着された片口金ランプと片口金ランプ用ソケットの間が密封され、雨水等の浸水による口金ピンの絶縁不良が防止される（例えば、特許文献１参照）。
【特許文献１】特開２００３―２５７５７２号公報
【発明の開示】
【発明が解決しようとする課題】
【０００４】
しかしながら、上記のような片口金ランプ用ソケットにおいては、片口金ランプの取付け方によって防水シールと片口金ランプ用ソケットとの間にわずかな隙間ができてしまうことがあった。
また、使用中に振動などが加わると防水シールとランプ口金部との間に瞬間的に隙間ができ、防水性能が低下してしまうことがあった。
【０００５】
本発明は、かかる従来の問題を解消すべくなされたもので、片口金ランプと片口金ランプ用ソケットとの隙間をより確実に密封できる片口金用ソケットを提供することを目的とする。
【課題を解決するための手段】
【０００６】
請求項１に係る発明の片口金用ソケットは、口金部から突出する端子を備えた片口金ランプの前記口金部が着脱自在に装着されるソケット本体と；前記片口金ランプの前記口金部と前記ソケット本体との間に介在され、前記端子を挿通させる第１の挿通孔が形成されたシート部とこのシート部からその厚さ方向に突出して前記端子の周辺を包囲する突起部とを備えたパッキンと；を備えたことを特徴とする。
パッキンはシリコーンゴムで形成されることが望ましい。パッキンは例えば、クロロプレンゴムで構成することもできる。
【０００７】
第１の挿通孔の径の大きさおよび個数は端子が挿入可能ならば特に限定されないが、端子と同程度の径の大きさであることが望ましく例えば、端子と同数個の挿通孔が形成される。
片口金ランプは口金部によってパッキンの突起部をわずかに押圧するように装着される。
シート部からの厚さ方向に対する突起部の高さおよび幅は特に限定されるものではない。すなわち突起部は、装着された片口金ランプが、ソケット本体に対して多少動いても口金部とパッキンとの間に隙間が形成されないように、所望の弾性を得られる高さや幅で形成することができる。
【０００８】
突起部の幅は特に限定されるものではなく任意の幅で形成することができる。
請求項２に係る発明は請求項１記載の片口金用ソケットにおいて、前記ソケット本体は、前記口金部を通じて装着された前記片口金ランプの前記端子と接触可能なコンタクトと；前記パッキンの前記第１の挿通孔と共に前記端子を挿通させて前記コンタクトと前記端子の先端部とを接触させる第２の挿通孔が形成され且つ前記パッキンの外形部分の少なくとも一部と嵌合する第１の凹部と；をさらに具備することを特徴とする。
【０００９】
第１の凹部の深さは特に限定されるものではないが、パッキンのシート部の厚みと同程度であることが望ましい。また、突起部により口金部とソケット本体との間には隙間が形成されている。
コンタクトは端子と電気的に接続されるために導電性の高い金属で形成されることが望ましい。
コンタクトの形状は片口金ランプの端子と接触可能ならば特に限定されず所定の形状で形成することができる。
第２の挿通孔の径の大きさは端子が挿入可能ならば特に限定されないが、端子と同程度の径の大きさであることが望ましい。
【００１０】
請求項３に係る発明は請求項１または２に記載の片口金用ソケットにおいて、前記パッキンは、所定の係止部材を挿通させつつ前記ソケット本体に当該パッキンを固定するための第１の係止孔が形成された被固定部を有し、
さらに、前記ソケット本体は、前記第１の凹部と高さが異なり且つ前記パッキンの前記被固定部と嵌合する第２の凹部と、前記パッキンの前記第１の係止孔と共に前記係止部材を挿通させて前記パッキンを固定するための第２の係止孔とを備えることを特徴とする。
【００１１】
第１の係止部および第２係止部の径の大きさは特に限定されず固定部材によってパッキンがソケット本体に固定可能ならば所定の大きさで形成することができる。
第１の係止部の径の大きさと第２の係止部の径の大きさはそれぞれ対応するように形成されることが望ましい。
係止部材は特に限定されるものではないが例えば金属製のリベットやネジを用いることができる。
【００１２】
請求項４に係る発明は請求項１ないし３のいずれか１項に記載の片口金用ソケットにおいて、前記パッキンが備える前記突起部は、前記シート部の一方の面から突出して、前記ソケット本体に装着された前記片口金ランプの前記口金部の端面と先端部が当接する口金部側の第１の突起部と；前記シート部の他方の面から突出して、前記ソケット本体における前記シート部の前記他方の面との対向面に先端部が当接するソケット本体側の第２の突起部と；を具備することを特徴とする。
【００１３】
ソケット本体側の第２の突起部の形状は特に限定されないが、口金部側の第１の突起部の形状と同形状に形成することが望ましい。
ソケット本体側の第２の突起部の高さは特に限定されないが、例えば口金部側の第１の突起部よりも低く形成することができる。
ソケット本体側の第２の突起部の幅も特に限定されることは無いが、例えば口金部側の第１の突起部よりも幅の狭い形状に形成することができる。
【００１４】
請求項５に係る発明は請求項１ないし４のいずれか１項に記載の片口金用ソケットにおいて、前記パッキンは、前記第１の突起部の外縁側に一端側がつながる傾斜部を有する端子挿入案内部；をさらに具備することを特徴とする。
【００１５】
傾斜部は例えばシリコーンゴムで形成することができる。傾斜部はパッキンと同様の素材で形成されることが望ましい。傾斜部の傾斜角度は特に限定されず０度より大きく９０度より小さい範囲で所定の角度で形成することができる。
端子挿入時にこの端子が端子挿入案内部に当接しても傾斜部と端子が摺接し、端子が滑らかに第２の挿通孔へ挿入されるように傾斜部を形成しておくことが望ましい。
また、端子挿入案内部は、突起部の外縁側と一体的に形成されることが望ましい。端子挿入案内部は、第１の突起部の強度を補強するための補強部として機能することが望ましい。
【００１６】
請求項６に係る発明は請求項５記載の片口金用ソケットにおいて前記パッキンは、前記端子挿入案内部の他端側に設けられた突出支持部を有し、さらに、前記ソケット本体は、前記突出支持部と係合する係合部を備えることを特徴とする。
【００１７】
突出支持部の形状は特に限定されず、平面板状や、スパイク状など所定の形状に形成することができる。この突出支持部と係合する係合部の形状も特に限定されず、突出支持部を係合可能ならば所定の形状に形成することができる。例えば、突出支持部を係合部よりも大きく形成し、圧入して係合させてもよい。
請求項７に係る発明は請求項６記載の片口金用ソケットにおいて、前記突出支持部と前記係合部とは接着されることを特徴とする。
突出支持部と係合部との接着は特に限定されるものではなく例えば、クロロプレン系接着剤やシアノアクリレート系接着剤など種々の接着材を用いて行うことができる。
【００１８】
請求項８に係る発明は請求項５ないし７のいずれか１項に記載の片口金用ソケットにおいて、前記第１の突起部の先端の高さよりも低い位置で前記端子挿入案内部が前記第１の突起部とつながっていることを特徴とする。
【００１９】
第１の突起部と端子挿入案内部がつながっている箇所は、第１の突起部の先端の高さよりも低い位置ならば特に限定されることなく所定の位置とすることができる。
請求項９に係る発明は請求項１ないし８のいずれか１項に記載の片口金用ソケットにおいて、前記突起部は、内周側に少なくとも一部を屈曲させた屈曲部を有することを特徴とする。
【００２０】
屈曲部の形成位置は特に限定されないが例えば、突起部の長手方向の中央部に形成することができる。屈曲部の形成箇所は少なくとも端子挿入案内部側に形成されることが望ましいがこれに限定されること無く所定の箇所に、所定数形成してもよい。
屈曲部の形状は特に限定されるものではないが、例えば平面略Ｖ字状に形成することができる。
【００２１】
請求項１０に係る発明は請求項１ないし９のいずれか１項に記載の片口金用ソケットにおいて、前記突起部は、前記口金部から各々突出する複数の前記端子をまとめて包囲する周回突起部と；前記周回突起部と協働して前記複数の端子のうちの少なくとも異極の端子の組同士を個別に包囲する異極遮蔽突起部と；を有することを特徴とする。
【００２２】
異極遮蔽突起部の幅は特に限定されるものではないが例えば、周回突起部と同程度の幅に構成することができる。異極遮蔽突起部の高さは特に限定されず、例えば周回突起部よりもわずかに低い高さや、周回突起部と同程度の高さなど種々の高さで形成することができる。
異極遮蔽突起部による異極の端子の組同士の包囲は特に限定されず、例えば、周回突起部に囲まれた所定の範囲を２つの領域に分割しかつ分割されたそれぞれの領域内に片口金ランプの異極の端子の組が挿入されるように形成することができる。
【００２３】
異極遮蔽突起部の形状は特に限定されるものではないが例えば、平面板状に形成することができる。
請求項１１に係る発明は請求項１ないし１０のいずれか１項に記載の片口金用ソケットにおいて、前記ソケット本体は、前記コンタクトを室内に収容するための開口部を有するコンタクト収容室と；前記コンタクトの収容された前記コンタクト収容室の前記開口部を塞ぐ蓋体と；を備えさらに、前記コンタクト収容室の前記開口部の周縁と前記蓋体との間に介在され、シート部とこのシート部の両面から前記開口部の周縁側および前記蓋体側に各々突出する第３、第４の突起部とを備えたコンタクト側防水パッキンと；を具備することを特徴とする。
【００２４】
コンタクト側防水パッキンの材質は特に限定されず例えばシリコーンゴムで形成することができる。コンタクト側防水パッキンは例えば、クロロプレンゴムで構成することもできる。
蓋体の形状はコンタクト収容室の開口部を塞ぐことができれば特に限定されるものではなく例えばソケット本体に嵌合する形状に形成することができる。
蓋体とソケット本体とは例えば、ねじ、接着剤、超音波溶着などによって固定することができる。
【００２５】
第３、第４の突起部の高さは特に限定されず、所定の高さで形成することができる。
第３、第４の突起部の高さは特に限定されることは無いが、例えば第１の突起部または第２の突起部と同等の高さに形成することができる。第３、第４の突起部の幅は例えば第１の突起部または第２の突起部と同等の幅に形成することもできる。
請求項１２に係る発明は請求項１ないし１１のいずれか１項に記載の片口金用ソケットにおいて前記ソケット本体または前記パッキンが難燃性材料で構成されていることを特徴とする。
【００２６】
難燃性材料は特に限定されず例えば、難燃ＰＢＴ樹脂やＦＲＰなどで構成することができる。
【発明の効果】
【００２７】
請求項１に記載の発明によれば、パッキンに突起部を設けたことによって片口金ランプの口金部とソケット本体との隙間をより確実に密封することができる。
請求項２に記載の発明によれば、ソケット本体にパッキンが嵌合する第１の凹部を具備することで、パッキンとソケット本体との間に隙間ができることを防止することができる。また、パッキンの位置が規制されるため取付けが容易である。
請求項３に記載の発明によれば、パッキンとソケット本体とを係止部材で係止することで、ソケット本体からパッキンが落脱するのを防止することができかつソケット本体とパッキンとの間に隙間が形成されることをより確実に防止することができる。
【００２８】
請求項４に記載の発明によれば、口金部側の第１の突起部とソケット本体側の第２の突起部とによってソケット本体とパッキンおよび片口金ランプの口金部とパッキンとの間に隙間が形成されてしまうことを防止することができる。
請求項５に記載の発明によれば、端子挿入案内部によって、第１の突起部が補強される。また、片口金ランプ装着時に端子が端子挿入案内部に当接しても第１および第２の挿通孔へ案内されるので片口金ランプの装着を容易に行うことができる。
請求項６に記載の発明によれば、突出支持部と係合部が係合することで、パッキンをより確実にソケット本体に固定することができる。
【００２９】
請求項７に記載の発明によれば、突出支持部と係合部とを接着することでパッキンをさらに確実に固定することができる。
請求項８に記載の発明によれば、第１の突起部の先端の高さよりも低い位置で端子挿入案内部が第１の突起部とつながることで第１の突起部の先端部が弾性を有し片口金ランプの口金部によって押圧されやすくなる。
請求項９に記載の発明によれば、片口金ランプがソケット本体に装着される際にかかる突起部内周側または外周側方向の圧力によって突起部の一部がよれることを防止することができる。
【００３０】
請求項１０に記載の発明によれば複数の端子のうちの少なくとも異極の端子の組同士を個別に包囲する異極遮蔽突起部によって、端子間の短絡を防止することができる。
請求項１１に記載の発明によれば、コンタクト側防水パッキを具備することでソケット本体の防水性を高めることができる。
請求項１２に記載の発明によれば、ソケット本体またはパッキンを難燃性材料で構成することでソケット本体や片金口ランプの不所望な燃焼の発生を防ぐことができる。
【発明を実施するための最良の形態】
【００３１】
以下、本発明にかかる第１の実施形態を図１ないし１１を参照して詳細に説明する。まず、図1および図２を参照して片口金ランプソケット（以下、ランプソケットと称す。）２０を有する照明装置１について説明する。
すなわち図１はランプソケット２０を有する照明装置１の平面図である。図２はランプソケット２０を正面から見たときの照明装置１の一部断面図である。
【００３２】
（第１の実施形態）
図１および図２に示す照明装置１は、「逆富士型」と呼ばれる照明装置である。照明装置１は、装置本体２、点灯装置５、片口金ランプ１０、ランプソケット２０、ランプホルダ６等を備えている。
この照明装置１は、装置本体２の長手方向の一端部にランプソケット２０が取付けられているとともに、長手方向の他端部にランプホルダ６が取付けられている。
装置本体２はシャーシ３と、特別図示はしないが反射板、ランプソケット取付け台４とから主に構成されている。シャーシ３は点灯用の各種電気部品等を有している。
【００３３】
シャーシ３は、例えば板金製であり、下面が開放した細長い箱状に形成されている。
ランプソケット取付け台４は、シャーシ３の長手方向の一端部に配置されていて、例えばねじを介してシャーシ３に固定されている。
点灯装置５は、いわゆる電子安定器と称される放電灯点灯装置であり片口金ランプ１０を点灯させるために電流を制限して放電の安定性を確保するためのものである。すなわち片口金ランプ１０点灯のための電力は点灯装置５によって片口金ランプ１０に供給される。
【００３４】
この点灯装置５はシャーシ３の内部に収容されていて、図示しないねじを介してシャーシ３に固定されている。
片口金ランプ１０は、略Ｕ字管状バルブ１１の長手方向の一端部にランプ口金１２が設けられたものである。この片口金ランプ１０は点灯装置５に電流を制御されて点灯される。片口金ランプ１０はランプ口金１２をランプソケット２０に装着された状態で、このランプ口金１２とは反対側の端部をランプホルダ６によって支持される。
【００３５】
ランプホルダ６はシャーシ３の長手方向の他端部に、このシャーシ３を抱持して配置されている。ランプソケット２０は、シャーシ３に設けられたソケット取付け台４に図示しないねじを介して固定されている。
次に図３ないし１１を参照してランプソケット２０とランプ口金１２について説明する。
図３はランプ口金１２とランプソケット２０とを一部断面で示す拡大図である。図４はランプソケット２０の分解斜視図である。図５は端子金具７０の斜視図である。
【００３６】
図６はパッキン５０の斜視図である。図７は図６で示したパッキン５０を裏側から見た斜視図である。図８はソケット本体３０の斜視図である。図９は図８のソケット本体３０の裏側の斜視図である。図１０はコンタクト側防水パッキンとしての防水パッキン８０の斜視図である。図１１は防水パッキン８０の側面図である。
ランプ口金１２は図３または図４に示すように、ランプ口金端面１２ａと、口金壁部１２ｂと口金ピン１３を有している。ランプ口金端面１２ａは平面略楕円形状に形成されている。
【００３７】
すなわちランプ口金端面１２ａの周縁部は一対の略半円形状の端部を一対の直線形状の辺部でつないだ形状である。
ランプ口金端面１２ａの中央部近傍には４本の口金ピン１３が所定の距離をもって突設（突きでるように設けられること）されている。口金ピン１３はランプソケット２０に挿入される。図示は省略したが口金ピン１３と略Ｕ字管状バルブ１１とはランプ口金１２内において電気的に接続されている。
口金壁部１２ｂは、ランプ口金端面１２ａの周縁部に口金ピン１３とは逆方向となるように突設されている。
【００３８】
口金壁部１２ｂは外周形状がランプ口金端面１２ａの平面形状と同形状に形成されている。口金壁部１２ｂの略半円状に形成された周面端部には、一対の突起１４が一体的に突設されている。
突起１４は、ランプ口金１２がランプソケット２０へ取付けられる際にランプ口金１２の取付け位置を一定とするためのガイドとして機能する。
突起１４は、略五角形の側面を有してランプソケット２０の両側面からそれぞれ突出されており、この略五角形の頂点を夾む２つの辺に対応した傾斜部１４aを有している。
【００３９】
傾斜部１４ａはランプ口金端面１２ａとは逆側となる突起１４の端部に形成されている。突起１４のランプ口金端面１２ａ側の端部はランプ口金端面１２ａと略同一平面上に配置されている。
以上のように構成されたランプ口金１２はランプソケット２０に水平姿勢を維持されて取付けられる。
ランプソケット２０は、ソケット本体３０、このソケット本体３０の裏側に取付けられる蓋体としてのカバー９０、コンタクトとしての複数の端子金具７０、突起部を備えた防水パッキン８０およびパッキン５０とで主に構成されている。
【００４０】
ソケット本体３０には、ランプ口金１２が取付けられるための口金装着部３２が設けられている。口金装着部３２はランプ口金１２が有するランプ口金端面１２ａと対向する口金対向部３２ａを有している。この口金対向部３２ａにはパッキン５０が嵌合（はめ合わされること）して装着される。
口金対向部３２aには、口金ピン１３と対応する位置に、この口金ピン１３が挿入可能な第２の挿通孔としての口金ピン挿通孔３３が設けられている。
【００４１】
ソケット本体３０の口金対向部３２ａ裏側には端子金具収容室３４が設けられている（図３または図９参照）。
端子金具収容室３４には口金ピン１３を挟持してこの口金ピン１３と電気的に接続される端子金具７０が収容される。
ここで主に図５を用いて端子金具７０について詳細に説明する。
端子金具７０は一対の端子金具７１および一対の端子金具７２とから構成されている。
【００４２】
端子金具７１は平面略板状の金具本体７１ａを有している。金具本体７１ａの一端側には、口金ピン１３を挟んで支持するための一対の板バネ部材７１ｂが突設されている。一対の板バネ部材７１ｂは断面くの字状に形成され、先端部分の間隔が拡がるように対称配置されている。
金具本体７１ａの他端側は、板バネ部材７１ｂの先端部分方向に向けて略９０度折り曲げられて形成された壁部７１ｃを有している。壁部７１ｃの中央近傍には略長方形の孔７１ｅが形成されている。
【００４３】
孔７１ｅにはシャーシ３から配設される図示はしない電源コードの導線が挿入される。孔７１ｅに電源コードの導線が挿入されることで、点灯装置５からの電気を板バネ部材７１ｂに挿入された口金ピン１３へと供給することができる。
孔７１ｅに挿入された電源コードの導線は孔７１ｅに設けられた導線押さえ板７１ｄによって電気的かつ機械的に接続される。電源コードの導線は導線押さえ板７１ｄによって押さえられるため容易に抜けることがない。
【００４４】
導線押さえ板７１ｄは孔７１ｅの形状と対応する平面略板状に形成されている。
導線押さえ板７１ｄは孔７１ｅの壁部７１ｃ先端部側の一辺に所定の角度を持って板バネ部材７１ｂに向かうように一体的に突設されている。
換言すれば導線押さえ板７１ｄは先端部と金具本体７１ａの板バネ部材７１ｂが突設された面との間がわずかに隙間が設けられるように形成されている。
端子金具７２は、平面略Ｌ字状に形成された金具本体７２ａを有している。金具本体７２ａの一端側には口金ピン１３を挟んで支持するための一対の板バネ部材７２ｂが突設されている。
【００４５】
金具本体７２ａの他端側には長方形板状の延設部７２ｃが板バネ部材７２ｂの突設方向に向かって略９０度折り曲げられて形成されている。
延設部７２ｃの長手方向は板バネ部材７２ｂが突設された金具本体７２ａと平行するように延びており、その端部には金具本体７１ａと同形状の導線接続部７２ｄが一体的に形成されている。導線接続部７２ｄは金具本体７２ａと平行配置されることになる。導線接続部７２ｄには、図示はしない電源コードの導線が電気的かつ機械的に接続されるための壁部７２ｅが突設されている。
【００４６】
壁部７２ｅには孔７１ｅと対応する形状の孔７２ｆが形成されている。孔７２ｆには導線押さえ板７１ｄと対応する形状の導線押さえ板７２ｇが形成されている。
なお、壁部７２ｅ、孔７２ｆ、導線押さえ板７２ｇの形状および接続関係の詳細はは、端子金具７１が有する壁部７１ｃ、孔７１ｅ、導線押さえ板７１ｄと同様であるのでここでは説明を省略する。
図示はしない電源コードは電源コード挿通部３５（図３または図９参照）に挿入されて端子金具７２と電気的に接続される。電源コード挿通部３５には雨水などの侵入を防止するための電源コード挿通部パッキン３５ａが設けられている。
【００４７】
防水パッキン８０は、ソケット本体３０が有する端子金具収容室３４の開口に設けられる。防水パッキン８０が端子金具収容室３４開口へ設けられることで、端子金具収容室３４内への雨水などの浸入を防止することができる。防水パッキン８０はカバー９０によって押圧されて固定される。
カバー９０はソケット本体３０の裏面に取付けられる。カバー９０の外形は図４に示すようにソケット本体３０の外形と対応するように形成されている。
【００４８】
カバー９０の四隅には略Ｌ字状に突設されたはめ込みガイド９１と、端子金具固定部９２ａ、９２ｂを有している。端子金具固定部９２ａ、９２ｂとこの端子金具固定部９２ａ、９２ｂ近傍のはめ込みガイド９１の間には一対のソケット本体固定部９３が突設されている。
端子金具固定部９２ａ、９２ｂは端子金具７１、７２それぞれ対応する形に形成さ
れている。
【００４９】
端子金具固定部９２ａ、９２ｂは端子金具７１、７２を押圧し、端子金具７１の板バネ部材７１ｂおよび、端子金具７２の板バネ部材７２ｂから口金ピン１３が抜けてしまうのを防止する。
ソケット本体固定部９３はカバー９０とソケット本体３０とを例えばネジなどを用いて固定するためのものである。一対のソケット本体固定部９３が端子金具収容室３４の外側壁面が当接して収まるように形成されている。換言すれば一対のソケット本体固定部９３は端子金具収容室３４の外側壁面を挟持するようにソケット本体３０に固定される。
【００５０】
ソケット本体固定部９３が端子金具収容室３４の外側壁面を挟持するように固定されることで例えば、熱に起因するカバー９０の変形を抑制することができる。
次に主に図６および７を参照してパッキン５０の形状について詳細に説明する。
このパッキン５０は、ランプ口金端面１２ａと対向する平面板状のシート部５０ａを有している。パッキン５０は、ソケット本体３０に装着されたパッキン５０が口金ピン１３の摺接によってめくれてしまわないようにソケット本体３０に固定される突出支持部５８を有している。
【００５１】
パッキン５０は所定の角度で傾斜している一対の傾斜部５６を有している。
パッキン５０は、耐浸水性、耐紫外線、耐熱性に優れ、ランプ口金１２のランプ口金端面１２ａとランプソケット２０の口金対向部３２aとの間に配設しても劣化しにくい電気絶縁材料であるシリコーンゴムで形成されている。なおパッキン５０は例えばＥＰＤＭ（エチレン・プロピレン・ジエンゴム）で形成することもできる。ＥＰＤＭは耐候性や耐熱性に優れている。
パッキン５０は硬度が３０度から５０度の範囲となるように形成されている。例えば硬度が３０度よりも小さかった場合、熱や口金ピン１３など外的な力によって変形してしまう畏れがある。
【００５２】
また、硬度が５０度よりも大きかった場合には例えばランプ口金端面１２ａによって押圧された場合の弾性変形が起こりにくく、ランプ口金１２の装着性が低下してしまう。シート部５０ａには口金ピン挿通孔３３と対応する位置に第１の挿通孔としての口金ピン挿通孔５１が設けられている。
口金ピン挿通孔５１はこのシート部５０ａを厚み方向に貫通して形成されている。
シート部５０ａの一方の面には、ランプ口金端面１２ａと対向し口金ピン挿通孔５１の周囲を囲うようにリブ５２が口金部側の第１の突起部として突設されている。
【００５３】
リブ５２は口金ピン挿通孔５１に挿通された口金ピン１３の基端部周辺を包囲する。
さらにパッキン５０の他方の面にはリブ５２と対応する位置にソケット本体３０の口金対向部３２ａに向かってリブ５３がソケット本体側の第２の突起部として突設されている。
リブ５３はリブ５２よりも幅が狭くかつ高さは低くなるよう形成されている。換言すればリブ５３よりもリブ５２は幅が広くかつ高さもリブ５３にくらべて高く形成されている。これは、リブ５２とランプ口金端面１２ａとの隙間をより確実に密閉するためである。リブ５３はソケット本体３０とパッキン５０の間に隙間が形成されないように機能する。
【００５４】
リブ５３は口金ピン挿通孔５１に挿通された口金ピン１３の先端側を包囲する。
シート部５０ａの両側には被固定部としての一対の固定部５４が、シート部５０ａの平面方向に向かって突設されている。固定部５４は略台形状になめらかな曲線状となるように形成されている。固定部５４は第１の係止孔５５が形成されている。
固定部５４の表面は、パッキン本体の表面と一体的に形成されている。固定部５４の裏面は、シート部５０ａの他方の面よりも一段突きだすように形成されている。固定部５４の裏面がシート部５０ａの他方の面よりも突き出すことで、パッキン５０のソケット本体３０の嵌合がより確実になる。
【００５５】
突出支持部５８はわずかに傾斜しながらリブ５２の基端部から下方に向かって突設されている。突出支持部５８はさらにこの傾斜の先端部から直角下方向へと突き出るような突部５８ａを有している。
一対の傾斜部５６は突部５８ａの基端部からリブ５２にかけて所定の間隔を空けて形成されされている。傾斜部５６は、突出支持部５８上面よりも傾斜角度が大きくなるように形成されている。
【００５６】
傾斜部５６は突出支持部５８の傾斜している面およびリブ５２の外縁側と一体となるように接合されている。
この傾斜部５６はソケット本体３０にランプ口金１２が装着される場合に口金ピン１３の先端部と摺接しつつこの口金ピン１３を口金ピン挿通孔５１へと案内する端子挿入案内部として機能する。また、この傾斜部５６は口金ピン１３の先端部によってリブ５２が破損などしないようにリブ５２を補強する補強部としても機能する。
【００５７】
傾斜部５６はリブ５２とその先端の高さよりも低い位置で接合されている。従って、口金ピン１３の先端部はリブ５２の先端を乗り越えるようにして口金ピン挿通孔５１へと案内される。
リブ５２には内周側に一部屈曲する屈曲部５７を有している。屈曲部５７はリブ５２の長手方向中央部に口金ピン挿通孔５１に向かって略Ｖ字状に形成されている。屈曲部５７がリブ５２の内周側に屈曲することで、口金ピン１３の挿入時に、リブ５２が内周方向に傾斜するように変形することを防止することができる。
【００５８】
すなわち屈曲部５７は口金ピン１３の挿入に対して所定の剛性をリブ５２に持たせるためのものである。
口金１２がランプソケット２０に取付けられた際には、パッキン５０はランプ口金１２のランプ口金端面１２ａとランプソケット２０の口金対向部３２ａとの間に介在されて配設される。
ランプ口金１２がランプソケット２０へ装着されている状態では、リブ５２はランプ口金端面１２ａによってランプソケット２０へ向かって押し付けられる。
【００５９】
このとき、リブ５２の先端はランプ口金端面１２ａによって押圧され、先端の形状が僅かに偏平となるよう弾性変形する。リブ５２の先端が弾性変形することで、ランプ口金端面１２ａと当接されるリブ５２の先端の面積が大きくなりランプ口金端面１２ａとリブ５２の間に隙間が生じることを防止することができる。
このようにしてランプ口金１２がランプソケット２０に装着された状態では、ランプソケット２０の口金対向部３２ａに取付けられたパッキン５０が、ランプ口金１２のランプ口金端面１２ａと口金対向部３２ａとの間に挟まれて口金ピン１３を外部から隔離する。
【００６０】
そのため、ランプ口金１２とランプソケット２０の間から水や埃等が侵入するのを防ぐことができる。したがって、この照明装置１によれば、屋外或いは湿気の多い環境下、若しくは埃が多い環境下でも良好に使用することができ、汎用性が高い。そして、このような、防水・防塵機能は、片口金ランプ１０用のランプソケット２０であるため、Ｕ字管状バルブ１１の長さのばらつきに影響されずに発揮できる。
【００６１】
次に図８および９を用いてソケット本体３０を詳細に説明する。
ソケット本体３０に形成された口金装着部３２にはランプ口金１２が装着された際に、ランプ口金端面１２ａと対向する口金対向部３２ａと、口金壁部１２ｂの一部と対向する支持壁３２ｂを有する。
口金対向部３２ａにはパッキン５０が嵌合するパッキン嵌合凹部３６が設けられている。パッキン嵌合凹部３６は第1の凹部３６aおよび第２の凹部３６ｂを有している。
【００６２】
第1の凹部３６ａにはパッキン５０のシート部５０aが嵌合する。第２の凹部３６ｂにはパッキン５０の固定部５４が嵌合する。
すなわち、パッキン嵌合凹部３６の深さはパッキン５０の厚さと対応している。
パッキン嵌合凹部３６近傍にはパッキン５０が有する突出支持部５８の突部５８ａと係合する係合部３７が凹設（凹むように設けられること）されている。係合部３７は突部５８ａが圧入されるように突部５８ａよりもわずかに小さい長方形状に形成されている。
【００６３】
係合部３７は突部５８ａと対応する形状であることがのぞましい。
第1の凹部３６ａには口金ピン挿通孔３３が形成されている。第２の凹部３６ｂにはパッキン５０の固定部５４と共に図示はしないリベットを挿通させてこのパッキン５０をソケット本体３０に固定するための第２の係止孔３８が形成されている。
支持壁３２ｂはランプ口金１２のランプ口金端面１２ａの形状と対応し、略楕円形状のソケット本体３０の長手軸で２分された半面部のみを取り囲むように口金対向部３２aから一体に突設されている。
【００６４】
すなわち、支持壁３２ｂはランプ口金１２壁部の周面を半周程度取り囲むような形状に形成されている。
この支持壁３２ｂの両翼部には、ランプ口金１２の一対の突起１４を回動させて案内しつつ、これら突起１４と係合する係合溝３２ｃが形成されている。
支持壁３２ｂの口金壁部１２ｂの長手方向に対向する面の中央部近傍には所定の間隔を空けて一対の連結部３２ｄが切り欠き状に設けられている。
連結部３２ｄの口金対向部３２ａ近傍には、支持壁３２ｂの裏面に連続して設けられるネジ挿通孔３２ｅが設けられている。
【００６５】
ソケット本体３０はこのネジ挿通孔３２ｅを通ってシャーシ３に設けられたソケット取付け台４にねじ込まれる図示しないねじで固定されている。
口金対向部３２aの長手方向両端には、一対のネジ挿通孔３９が設けられている。
ネジ挿通孔３９はソケット本体３０の厚み方向に貫通している。このネジ挿通孔３９はカバ−９０をソケット本体３０に固定するための図示しないねじを挿通するための孔である。
【００６６】
すなわちカバー９０とソケット本体３０とはこのネジ挿通孔３９とソケット本体固定部９３とがねじ止めされることで固定される。ただし、カバー９０とソケット本体３０との固定はねじ止めに限定されること無く例えば超音波溶着によって一体的に形成することができる。
ここで超音波溶着について説明する。超音波溶着は例えば、ソケット本体３０とカバー９０とを微細な超音波振動と加圧力によって瞬時に溶融し接合することである。
【００６７】
超音波溶着は接着剤などの消耗材を必要としないため生産コストを安く押さえることができる。また、ソケット本体３０とカバー９０とが同じ材料（例えば、難燃ＰＢＴ樹脂）で形成されている場合にはねじ止めによる固定よりも充分に強度を高くすることができる。超音波溶着では接合面の樹脂が完全に溶融する為、高い気密性を得ることができる。
すなわち超音波溶着によって一体に形成されることでソケット本体３０とカバー９０とに囲まれた端子金具収容室３４への雨水の浸入をほぼ完璧に防止することができる。
【００６８】
端子金具収容室３４は図９に示すように開口を有する箱状に形成されている。端子金具収容室３４の開口縁部には防水パッキン８０が配置される。
端子金具収容室３４内部は仕切りによって格子状に仕切られている。すなわち端子金具収容室３４は仕切りによって平面略四角形状に仕切られた領域３４ａ、３４ｂ、３４ｃ、３４ｄ、３４ｅ、３４ｆ、３４ｇ、３４ｈを有している。
端子金具収容室３４には端子金具７０が板バネ部材７１ｂ、７２ｂを端子金具収容室３４の開口とは反対に向く姿勢で挿入される。
【００６９】
すなわち領域３４ａ、３４ｄには一対の導線接続部７２ｄがそれぞれ挿入される。領域３４ｂ、３４ｃには一対の金具本体７１ａが、領域３４ｆ、３４ｇには一対の金具本体７２ａが、領域３４ｅ、３４ｈには金具本体７２ａの一部と一対の延設部７２ｃがそれぞれ挿入される。
領域３４ｅと３４ｆとを仕切る仕切りおよび領域３４ｇと３４ｈを仕切る仕切りは、金具本体７２ａの形状に対応して他の仕切りよりも低く形成されている。領域３４ａと３４ｅとを仕切る仕切りおよび領域３４ｄと３４ｈを仕切る仕切りは延設部７２ｃの形状に対応して収容室３４との間に僅かな間隙が設けられている。
【００７０】
領域３４ａ、３４ｂ、３４ｃ、３４ｄの端子金具７１、７２に設けられた壁部７１ｃ、７２ｆと対向する壁面には、電源コード挿通部３５の一端部である電源コード挿通孔３５ｂがそれぞれ設けられている。
領域３４ｂ、３４ｃ、３４ｆ、３４ｇの端子金具７１、７２に設けられた板バネ部材７１ｂ、７２ｂの先端部と対向する面には口金ピン挿通孔３３が口金対向部３２ａから貫通している。
【００７１】
ここで主に図１０および１１を参照して防水パッキン８０について詳細に説明する。
防水パッキン８０は平面矩形状に形成されている。
防水パッキン８０の端子金具７０と対向する面とその裏面にかけて、カバー９０の端子金具固定部９２ａ、９２ｂと対応する形状の孔部８１が貫通して設けられている。
防水パッキン８０の端子金具７０と対向する面には、孔部８１を囲むように環状突起状の防水部８２が端子金具７０に向かって突設されている。防水部８２は第３の突起部として機能する。
防水パッキン８０のカバー９０と対向する面の防水部８２と対応する箇所には孔部８１を囲むようにこちらも環状突起状である防水部８３がカバー９０に向かって突設されている。防水部８３は第４の突起部として機能する。
【００７２】
防水パッキン８０は防水部８２が端子金具収容室３４の開口縁部に先端を当接された状態で、この端子金具収容室３４の開口部に配置される。
カバー９０がランプソケット２０へ固定されている状態では、防水部８２はカバー９０によって端子金具収容室３４の開口縁部へ向かって押し付けられる。このとき防水部８２の先端の形状が僅かに偏平となるよう弾性変形する。防水部８２の先端が弾性変形することで、端子金具収容室３４の開口縁部と当接される防水部８２の先端の面積が大きくなり端子金具収容室３４の開口縁部と防水部８２の間に隙間が生じることを防止することができる。
【００７３】
同様にカバー９０がランプソケット２０へ固定されている状態では、防水部８３の先端はカバー９０の端子金具収容室３４と対向する面によって押圧される。
このとき防水部８３の先端の形状も僅かに偏平となるよう弾性変形する。防水部８３の先端が弾性変形することで、カバー９０の端子金具収容室３４と対向する面と当接される防水部８３の先端の面積が大きくなりカバー９０の端子金具収容室３４と対向する面と防水部８３の間に隙間が生じることを防止することができる。
すなわち防水パッキン８０によって端子金具収容室３４とカバー９０との間に間隙が空くことを防止することができ、端子金具収容室３４に雨水などが浸入することを防止することができる。
【００７４】
防水パッキン８０はパッキン５０と同様に耐浸水性、耐紫外線、耐熱性に優れ、端子金具収容室３４とカバー９０との間に配設しても劣化しにくい電気絶縁材料であるリコーンゴムで形成されている。なお、防水パッキン８０は例えば、ＥＰＤＭ等を用いて形成することもできる。
次に図１２を用いてランプソケット２０に片口金ランプ１０を取付ける際の動作を説明する。すなわち図１２はランプソケット２０への片口金ランプ１０の取付け動作を示す一部断面図である。なおここではランプ口金１２の図示は突起１４および口金ピン１３のみである。
【００７５】
ランプ口金１２は口金ピン１３がパッキン５０の傾斜部５６と対向するように僅かに傾けられた状態で、シャーシ３に取付けられたランプソケット２０の斜め下方より導入される（この導入方向を矢印Ａで示す）。
パッキン５０の傾斜部５６に近い側の口金ピン１３は傾斜部５６に摺動されつつリブ５２を乗り越えながら傾斜部５６に近い側の口金ピン挿通孔５１へと案内される（傾斜部５６に近い側の口金ピン１３の動き方を矢印Ｂで示す）。
このとき、傾斜部５６またはリブ５２は口金ピン１３から力を受けて、パッキン５０がランプソケット２０からはがれようとするが、突部５８ａが係合部３７に嵌合しており、口金ピン１３からの応力に対抗することができる。
また傾斜部５６は口金ピン１３を挿通孔５１へ案内するとともにリブ５２を補強するように機能する。
傾斜部５６に近い側の口金ピン１３が傾斜部５６に近い側の口金ピン挿通孔５１へと案内されるとき、支持壁３２ｂ側に形成された口金ピン１３は口金ピン挿通孔５１と対向する位置であり口金ピン挿通孔５１へは挿入されない。
【００７６】
続けて傾斜部５６に近い側の口金ピン１３が口金ピン挿通孔５１から口金ピン挿通孔３３へと挿入されてゆく。
このとき、この口金ピン１３を支点として、支持壁３２ｂ側に形成された口金ピン１３は緩やかな円弧状を描きながら支持壁３２ｂ側に形成された口金ピン挿通孔５１へと挿入される（このときの支持壁３２ｂ側の口金ピン１３の動き方を矢印Ｃで示す）。
支持壁３２ｂ側に形成された口金ピン１３が口金ピン挿通孔５１へと挿入される際、それと相前後してランプ口金１２の突起１４が支持壁３２ｂに設けられた係合溝３２ｃに沿って案内される（このときの突起１４の動き方を矢印Ｃで示す）。
【００７７】
突起１４が係合溝３２ｃに沿って案内された際に、ランプ口金１２を矢印Ｅ方向に回しながら押し込むことにより、口金ピン挿通孔５１へ挿入されていた支持壁３２ｂ側の口金ピン１３が支持壁３２ｂ側に形成された口金ピン挿通孔３３へ挿入される。
従ってここで口金ピン１３は４本ともパッキン５０に設けられた口金ピン挿通孔５１および、ソケット本体３０に設けられた口金ピン挿通孔３３を通ってソケット本体３０内に挿入されることになる。
【００７８】
さらに突起１４の先端部が係合溝３２ｃの斜面に係合されて片口金ランプ１０とランプソケット２０とは接続状態となる。
突起１４の先端部である傾斜部１４ａが係合溝３２ｃの斜面に係合されることによりランプ口金１２のランプソケット２０からの離脱が阻止される。なお、取付け手順と逆の手順により、片口金ランプ１０はランプソケット２０から取外すことができる。
なお、口金ピン１３が傾斜部５６に当接することを前提として、片口金ランプ１０の装着時の作用について説明したが、必ずしも口金ピン１３と傾斜部５６とを当接させる必要はない。
【００７９】
（第２の実施形態）
次に図１３または図１４を用いて第２の実施形態について説明する。すなわち図１３はパッキン５００の斜視図である。図１４は図１３で示したパッキン５００を裏側から見た斜視図である。
この実施形態におけるパッキン５００は、同図に示すように、第１の実施形態のパッキン５０のリブ５２の構成を変形させたものである。その他の構造やパッキン５００のランプソケット２０への取付け方法は第１の実施形態と同じである。よって図６または図７と対応する部分に同一符号を付して重複する説明を省略する。
【００８０】
パッキン５００が有するシート部５０ａのランプ口金端面１２ａと対向する一方の面にはリブ５２０が突設されている。リブ５２０は第１の周回突起部５２１と第１の異極遮蔽突起部５２２を有している。
第１の周回突起部５２１は４つの口金ピン挿通孔５１をまとめて包囲するように突設される。第１の周回突起部５２１はシリコーンゴムで形成されている。
第１の異極遮蔽突起部５２２は第１の周回突起部５２１に囲まれたシート部５０ａの領域を二分割しかつ口金ピン挿通孔５１が２つずつ分割されるように突設される。換言すれば第１の異極遮蔽突起部５２２は口金ピン挿通孔５１に挿入された口金ピン１３の異極の組同士を個別に包囲するように突設される。
【００８１】
第１の異極遮蔽突起部５２２の両端部は第１の周回突起部５２１に形成された一対の屈曲部５７の先端部それぞれと接続されている。
第１の異極遮蔽突起部５２２の幅は第１の周回突起部５２１と同程度に形成されている。第１の異極遮蔽突起部５２２の高さは第１の周回突起部５２１の高さよりも低く形成されている。
第１の遮蔽突起部５２２の高さを第１の周回突起部５２１よりも低くすることで、ランプ装着時にランプ口金端面１２ａによって押圧される、第１の周回突起部５２１の先端の形状が弾性変形しやすくなり、片口金ランプ１０のランプソケット２０への装着性を損なうことがない。
【００８２】
ただし、第１の遮蔽突起部５２２の高さは特に限定されるものではなく、第１の周回突起部５２１と同じ高さに形成することもできる。
この場合には、第１の周回突起部５２１の高さよりも低くした場合よりもシート部５０ａの二分割された領域それぞれとランプ口金端面１２ａとの間の気密性を高めることができる。第１の異極遮蔽突起部５２１はリブ５２０と同一の素材（シリコーンゴム）で構成されている。
シート部５０ａの他方の面の、リブ５２０と対応する位置にはリブ５３０が突設されている。
【００８３】
リブ５３０は第２の周回突起部５３１と第２の異極遮蔽突起部５３２を有している。第２の周回突起部５３１は第１の周回突起部５２１と対応する位置に形成されている。すなわち第２の周回突起部５３１は４つの口金ピン挿通孔５１をまとめて包囲するように突設される。第２の周回突起部５３１は第１の周回突起部５２１と同一の素材で形成されている。
第２の異極遮蔽突起部５３２は第１の周回突起部５２１と対応する位置に形成されている。
【００８４】
すなわち第２の異極遮蔽突起部５３２は第２の周回突起部５３１に囲まれたシート部５０ａの領域を二分割しかつ口金ピン挿通孔５１に挿入された口金ピン１３の異極の組同士が個別になるよう突設される。第２の異極遮蔽突起部５３２は第１の異極遮蔽突起部５２２と同一素材で形成されている。
第２の異極遮蔽突起部５３２の幅は第２の周回突起部５３１と同程度に形成されている。第２の異極遮蔽突起部５３２の高さは第２の周回突起部５３１と同程度に形成されている。
【００８５】
第２の異極遮蔽突起部５３２と第２の周回突起部５３１とは一体的に形成されている。以上のように構成されたパッキン５００を備えた照明装置１では、リブ５２０、５３０で囲まれた領域内へ雨水などが浸入した場合でも、口金ピン１３の異極によるトラッキング（短絡）を防止することができる。
なお、パッキン５００には第１、第２の異極遮蔽突起部５２２、５３２の双方が形成されることが望ましいが、これに限定されることなく例えば、第１の異極遮蔽突起部５２２のみを形成することもできる。
【００８６】
また、第２の異極遮蔽突起部５３２のみを形成することも可能であることは言うまでもない。
（第３の実施形態）
次に図１５および図１６を用いて第３の実施形態について説明する。すなわち図１５は防水パッキン８００の斜視図である。図１６は図１５のＡ-Ａ線に沿って示す断面図である。
【００８７】
この実施形態における防水パッキン８００は、同図に示すように、第１の実施形態の防水パッキン８０の防水部８２の構造を変形させたものものである。その他の構造やランプソケット２０への取付け方法は第１の実施形態と同じである。よって図１０または図１１と対応する部に同一符号を付して重複する説明を省略する。
防水パッキン８００の端子金具収容室３４と対向する面には、防水部８２０が突設されている。
防水部８２０は環状防水部８２１と防水異極遮蔽突起部８２２を有している。
【００８８】
環状防水部８２１は孔部８１を囲むように環状突起状に突設されている。この環状防水部８２１は、防水パッキン８００が端子金具収容室３４の開口部に配置された際、端子金具収容室３４の開口縁部に先端を当接される。
防水異極遮蔽突起部８２２は環状防水部８２１に囲まれた領域を二分割し、かつ口金ピン１３が挿入された端子金具７０の異極の組同士が個別に包囲されるように突設される。
防水異極遮蔽突起部８２２の両端部は環状防水部８２１の一面と、環状防水部８２１の他面とにそれぞれ接続されている。
【００８９】
防水異極遮蔽突起部８２２の幅は環状防水部８２１と同程度に形成されている。防水異極遮蔽突起部８２２の高さは環状防水部８２１の高さと同じに形成されている。
防水異極遮蔽突起部８２２は、防水パッキン８００が端子金具収容室３４の開口部に配置された際、端子金具収容室３４の領域３４ｂ、３４ｆおよび３４ｃ、３４ｇを仕切る仕切りの一端部に先端を当接される。
防水パッキン８００がカバー９０に押圧されることで、環状防水部８２１および防水異極遮蔽突起部８２２の先端が僅かに偏平となるよう弾性変形する。
【００９０】
このことにより環状防水部８２１と防水異極遮蔽突起部８２２によって口金ピン１３が挿入された端子金具７０の異極同士が個別に包囲される。すなわち防水パッキン８００と端子金具収容室３４との間から雨水などが浸入した場合でも端子金具７０（口金ピン１３）の異極によるトラッキングを防止することができる。
（その他の実施例）
上記第１ないし第３の実施形態では、パッキン５０、５００、ランプソケット２０、防水パッキン８０、８００は一種類の材料（例えば、シリコーンゴムもしくは難燃ＰＢＴ樹脂など）で一体的に形成されたものであった。
【００９１】
しかしこれに限定されること無くこれらは種々の材料を組み合わせて形成することができる。
例えば、ソケット本体３０ならば口金対向部３２ａのみを難燃ＰＢＴ樹脂で形成し、残る支持壁３２ｂなどはプラスチックで形成することも可能である。第１の凹部３６ａを難燃ＰＢＴ樹脂、第２の凹部３６ｂをクロロプレンゴムで形成することも可能である。
【００９２】
パッキン５０、５００においてもシート部５０aを難燃ＰＢＴ樹脂で形成し、リブ５２、５２０はシリコーンゴムで形成してもよい。防水パッキン８０、８００についても同様であり、リブ８２、８２０、８３を他の部分と異なる材料で形成することができる。
以上のように種々の材料を組み合わせて形成する場合には、例えば口金ピン１３近傍部分にはコストのかかる難燃性材料料を用い、その他の部分は比較的低コストの材料を用いることができる。このことによりランプソケット２０全体としての生産コストを容易に調整することが可能となる。
【図面の簡単な説明】
【００９３】
【図１】第１の実施形態にかかるランプソケット２０を有する照明装置１の平面図である。
【図２】図１で示した照明装置１をランプソケット２０を正面にして示す一部断面図である。
【図３】ランプ口金１２とランプソケット２０とを一部断面で示す拡大図である。
【図４】ランプソケット２０の分解斜視図である。
【図５】端子金具７０の斜視図である。
【図６】パッキン５０の斜視図である。
【図７】図６で示したパッキン５０を裏側から見た斜視図である。
【図８】ソケット本体３０の斜視図である。
【図９】図８で示したソケット本体３０の裏側の斜視図である。
【図１０】防水パッキン８０の斜視図である。
【図１１】図１０で示した防水パッキン８０の側面図である。
【図１２】ランプソケット２０への片口金ランプ１０の取付け動作を示す一部断面図である。
【図１３】第２の実施形態にかかるパッキン５００の斜視図である。
【図１４】図１３で示したパッキン５００を裏側から見た斜視図である。
【図１５】第３の実施形態にかかる防水パッキン８００の斜視図である。
【図１６】図１５で示した防水パッキン８００をＡ-Ａ線に沿って示す断面図である。
【符号の説明】
【００９４】
１０…片口金ランプ、１２…ランプ口金、１３…口金ピン、２０…ランプソケット、３０…ソケット本体、３２ｃ…係合溝、３２ａ…口金対向部、３２…口金装着部、３３，５１…口金ピン挿通孔、３４…端子金具収容室、３６…パッキン嵌合凹部、３６ａ…第1の凹部、３６ｂ…第２の凹部、３７…係合部、３８…第２の係止孔、５４…固定部、５０，５００…パッキン、５０ａ…シート部、５２，５３，５２０，５３０…リブ、５２１…第１の周回突起部、５２２…第１の異極遮蔽突起部、５３１…第２の周回突起部、５３２…第２の異極遮蔽突起部、５５…第１の係止孔、５６…傾斜部、５７…屈曲部、５８…突出支持部、７０…端子金具、８０，８００…防水パッキン、８２，８３…防水部、８２１…環状防水部、８２２…防水異極遮蔽突起部、９０…カバー。
【図１】
2008204760.tif 000003
【図２】
2008204760.tif 000004
【図３】
2008204760.tif 000005
【図４】
2008204760.tif 000006
【図５】
2008204760.tif 000007
【図６】
2008204760.tif 000008
【図７】
2008204760.tif 000009
【図８】
2008204760.tif 000010
【図９】
2008204760.tif 000011
【図１０】
2008204760.tif 000012
【図１１】
2008204760.tif 000013
【図１２】
2008204760.tif 000014
【図１３】
2008204760.tif 000015
【図１４】
2008204760.tif 000016
【図１５】
2008204760.tif 000017
【図１６】
2008204760.tif 000018